(57)【要約】【課題】所持者から所持品への情報送信による所持者認証の欠点を補う所持者認証システムを提供する。【解決手段】コンピュータ３は、当初は、ユーザ認証を行うようになっておらず、所持品Ａが所持されていることがセンサ５から通知されると、コンピュータ１からのＩＤでユーザ認証を行うようになる。コンピュータ３は、ＩＤを予め記憶しており、ＩＤが送信されるごとに、送信されたＩＤが記憶されているか否かを判定し（ユーザ認証）、記憶されていない（認証失敗の）場合、例えば、警報を発する。【選択図】図１
2008092065.tif 000002
【特許請求の範囲】
【請求項１】
所持されたことを検出するセンサを備えた所持品の所持者に装備され所持者ＩＤを記憶する所持者装備のコンピュータに通信可能な所持者装備のトランシーバと、前記所持品に装備され所持者ＩＤを記憶する所持品装備のコンピュータに通信可能な所持品装備のトランシーバとが電極を有し、
各電極が所持者と所持品に接触または近接し、所持者と所持品が所持により接触または近接している状態で、
所持者装備のトランシーバは、所持者装備のコンピュータから送信される所持者ＩＤに応じた波形の電圧を電極と所持者と所持品を介して所持品装備のトランシーバの電極に印加し、
所持品装備のトランシーバは、電極に印加された電圧の波形を所持者ＩＤとして検出し、この所持者ＩＤを所持品装備のコンピュータへ送信し、
センサは、所持品が所持されたことを所持品装備のコンピュータへ通知し、
所持品装備のコンピュータは、センサからの通知を契機に、記憶した所持者ＩＤが送信されたか否かを判定する
ことを特徴とする所持者認証システム。
【請求項２】
所持されたことを検出するセンサを備えた所持品の所持者に装備され所持者ＩＤを記憶する所持者装備のコンピュータに通信可能な所持者装備のトランシーバと、前記所持品に装備され所持者ＩＤを記憶する所持品装備のコンピュータに通信可能な所持品装備のトランシーバとが電極を有し、
各電極が所持者と所持品に接触または近接し、所持者と所持品が所持により接触または近接している状態で、
所持者装備のトランシーバは、所持者装備のコンピュータから送信される所持者ＩＤに応じた波形の電圧を電極と所持者と所持品を介して所持品装備のトランシーバの電極に印加し、
所持品装備のトランシーバは、電極に印加された電圧の波形を所持者ＩＤとして検出し、この所持者ＩＤを所持品装備のコンピュータへ送信し、
センサは、所持品が所持されたことを所持品装備のコンピュータへ通知し、
所持品装備のコンピュータは、センサからの通知を契機に、記憶した所持者ＩＤが送信されたか否かを判定する
ことを特徴とする所持者認証方法。
【請求項３】
請求項１記載の所持者認証システムにおいて、所持品装備のトランシーバは、電極に印加された電圧の波形に応じた電界を電気光学結晶に印加し、この電気光学結晶で光源からの光の偏光状態を変調し、この偏光変調光を強度変調光に変換し、この強度変調光を電気信号に変換し、この電気信号の波形を所持者ＩＤとして検出し、この所持者ＩＤを所持品装備のコンピュータへ送信する
ことを特徴とする所持者認証システム。
【請求項４】
請求項２記載の所持者認証方法において、所持品装備のトランシーバは、電極に印加された電圧の波形に応じた電界を電気光学結晶に印加し、この電気光学結晶で光源からの光の偏光状態を変調し、この偏光変調光を強度変調光に変換し、この強度変調光を電気信号に変換し、この電気信号の波形を所持者ＩＤとして検出し、この所持者ＩＤを所持品装備のコンピュータへ送信する
ことを特徴とする所持者認証方法。
【発明の詳細な説明】
【技術分野】
【０００１】
本発明は、所持者から所持品への情報送信による所持者認証の欠点を補う所持者認証システムに関する。
【背景技術】
【０００２】
従来、例えば、所持品Ａが所持品Ｂの所持者ＵＢにより間違って所持されるのを防止するには、かかる所持がなされた状態で、所持者ＵＢに装備されたコンピュータから所持者ＵＢの所持者ＩＤを所持者ＵＢと所持品Ａを媒体として、所持品Ａに装備されたコンピュータに送信し、これにより、所持品Ａに装備されたコンピュータが警告などを発すればよい。
【非特許文献１】RedTacton、［平成１７年１０月３日検索］、インターネット＜URL： http://www.redtacton.com/jp/info/index.html＞
【発明の開示】
【発明が解決しようとする課題】
【０００３】
しかしながら、所持者ＵＢに装備されたようなコンピュータを装備しない不審者などが、盗難目的などで所持品Ａを所持した場合には、所持者ＵＢなどのような所持者ＩＤの送信がなされず、そのため、所持品Ａに装備されたコンピュータが警告などを発することができず、その結果、所持品Ａが盗難されてしまうようなことになる。
【０００４】
本発明は、上記の課題に鑑みてなされたものであり、その目的とするところは、所持者から所持品への情報送信による所持者認証の欠点を補う所持者認証システムを提供することにある。
【課題を解決するための手段】
【０００５】
上記の課題を解決するために、本発明では、所持されたことを検出するセンサを備えた所持品の所持者に装備され所持者ＩＤを記憶する所持者装備のコンピュータに通信可能な所持者装備のトランシーバと、前記所持品に装備され所持者ＩＤを記憶する所持品装備のコンピュータに通信可能な所持品装備のトランシーバとが電極を有し、各電極が所持者と所持品に接触または近接し、所持者と所持品が所持により接触または近接している状態で、所持者装備のトランシーバは、所持者装備のコンピュータから送信される所持者ＩＤに応じた波形の電圧を電極と所持者と所持品を介して所持品装備のトランシーバの電極に印加し、所持品装備のトランシーバは、電極に印加された電圧の波形を所持者ＩＤとして検出し、この所持者ＩＤを所持品装備のコンピュータへ送信し、センサは、所持品が所持されたことを所持品装備のコンピュータへ通知し、所持品装備のコンピュータは、センサからの通知を契機に、記憶した所持者ＩＤが送信されたか否かを判定する。
【発明の効果】
【０００６】
本発明によれば、所持者から所持品への情報送信による所持者認証の欠点を補い、これにより、所持品盗難などを防止することができる。
【発明を実施するための最良の形態】
【０００７】
以下、本発明に係る所持者認証システムおよび方法の実施の形態を図面を参照して説明する。
【０００８】
図１は、本実施の形態に係る所持者認証システムの構成図である。
【０００９】
このシステムでは、相互接続されたコンピュータ１とトランシーバ２が所持品Ａ（例えば、カバン）を所持してよい所持者ＵＡに装備される。所持品Ａには、相互接続されたコンピュータ３とトランシーバ４、ならびに、所持品Ａが所持されていることを検出するセンサ５が装備されている。
【００１０】
図２（ａ）に示すように、センサ５は、所持品Ａが所持されているときに圧力を受ける位置に圧力センサを設けて構成し、この圧力センサが圧力を受けたときは、所持品Ａが所持されていることを検出したこととすればよい。
【００１１】
また、図２（ｂ）に示すように、センサ５は、所持品Ａに加速度センサを設けて構成し、この加速度センサが加速度を検出したときは、センサ５が所持品Ａの所持を検出したこととすればよい。
【００１２】
また、図２（ｃ）に示すように、センサ５は、所持品Ａが所持されたときに温度が上昇する位置に温度センサを設けて構成し、この温度センサが温度上昇を検出したときは、センサ５が所持品Ａの所持を検出したこととすればよい。
【００１３】
図３は、トランシーバ２、４の構成および利用形態を示す図である。
【００１４】
トランシーバ２、４は、同様な構成を有するので、これらを区別せず、トランシーバＴＲという。また、コンピュータ１、３をコンピュータＣＭＰという。
【００１５】
トランシーバＴＲは、電極ＴＲ１と、発振器ＴＲ２と電界検出部ＴＲ３と送受信回路ＴＲ４を備える。特に、トランシーバ２の電極ＴＲ１は、ユーザＵの人体に常に接触している状態にされる。また、トランシーバ４の電極ＴＲ１は、所持品Ａに常に接触している状態にされる。なお、トランシーバＴＲ間では、ユーザＵの人体や所持品Ａと電極ＴＲ１とが近接していても通信可能なので、電極ＴＲ１の表面を絶縁体で覆ってもよい。例えば、トランシーバをカード型にし、それを服のポケットに入れた状態で通信できるようにしてもよい。
【００１６】
送受信回路ＴＲ４は、コンピュータＣＭＰから送信される情報に応じて発振器ＴＲ２を制御し、発振器ＴＲ２は、その情報に応じた電圧を電極ＴＲ１に印加するようになっている。また、送受信回路ＴＲ４は、電界検出部ＴＲ３で光電変換された電気信号を処理することで、コンピュータＣＭＰに送信すべき情報を検出し、これをコンピュータＣＭＰに送信するようになっている。
【００１７】
電界検出部ＴＲ３は、光源ＴＲ３１と、この光源ＴＲ３１からの光の偏光状態を変調する電気光学結晶ＴＲ３２と、この偏光変調光を強度変調光に変換する偏光板ＴＲ３３と、この強度変調光を電気信号に変換する光検出器ＴＲ３４とを備える。
【００１８】
（実施の形態の動作）
図４は、本システムが行う所持者認証方法の一例を示すシーケンス図である。
【００１９】
コンピュータ１は、例えば、時間間隔をあけて、継続的に、所持者ＵＡを示す所持者ＩＤ（以下、ＩＤ）をトランシーバ２の送受信回路ＴＲ４に送信する。
【００２０】
送受信回路ＴＲ４は、そのＩＤに基づいてトランシーバ２の発振器ＴＲ２を発振させる。発振器ＴＲ２は、このＩＤに応じた波形の電圧を、トランシーバ２の電極ＴＲ１に印加する。ユーザＵの人体が所持品Ａに接触あるいは近接していれば、この電圧がユーザＵの人体と所持品Ａを介して、トランシーバ４の電極ＴＲ１に印加される。
【００２１】
トランシーバ４の電界検出部ＴＲ３では、当該電圧の波形に応じた電界を電気光学結晶ＴＲ３２に印加し、光源ＴＲ３１が光を電気光学結晶ＴＲ３２に入射し、偏光板ＴＲ３３が電気光学結晶ＴＲ３２からの偏光変調光を強度変調光に変換し、光検出器ＴＲ３４が強度変調光を電気信号に変換し、送受信回路ＴＲ４が電気信号の波形をＩＤとして検出する。そして、このＩＤをコンピュータ３に送信する（Ｓ１）。
【００２２】
コンピュータ３は、当初は、ユーザ認証を行うようになっておらず、所持品Ａが所持されていることがセンサ５から通知される（Ｓ２）と、コンピュータ１からのＩＤでユーザ認証を行うようになる。
【００２３】
コンピュータ３は、ＩＤを予め記憶しており、ＩＤが送信されるごとに、送信されたＩＤが記憶されているか否かを判定し（ユーザ認証）、記憶されていない（認証失敗の）場合、例えば、警報を発する（Ｓ３）。よって、異なるＩＤを送信するコンピュータ１とトランシーバ２を所持する者が所持品Ａを所持した場合に警報を発することができる。
【００２４】
また、ステップＳ２から一定時間が経過しても、ＩＤが送信されない場合、例えば、警報を発する（Ｓ３）。よって、コンピュータ１とトランシーバ２を所持しない者が所持品Ａを所持した場合に警報を発することができる。
【００２５】
一方、認証成功した場合、つまり、所持者ＵＡが所持品Ａを所持した場合は、警報発信を抑制する。よって、所持者ＵＡが所持品Ａを所持した場合の警報発信を抑制することができる。
【００２６】
その後、コンピュータ３は、所持品Ａが所持されていないことがセンサ５から通知される（Ｓ４）と、当初の状態、つまりユーザ認証を行わないようになり、以降、通知と通知内容により、状態が変化する。
【００２７】
図５は、本システムが行う所持者認証方法の他の一例を示すシーケンス図である。
【００２８】
コンピュータ３は、当初は、ＩＤの要求を行うようになっておらず、所持品Ａが所持されいることがセンサ５から通知される（Ｓ１１）と、例えば、時間間隔をあけて、継続的に、ＩＤの要求を行う。
【００２９】
このとき、コンピュータ３は、コンピュータ１が行った（Ｓ１）ときと同様に、要求に応じた電圧をトランシーバ２の電極ＴＲ１に印加する。
【００３０】
トランシーバ２は、トランシーバ４が行った（Ｓ１）ときと同様に、要求を検出し、コンピュータ１に送信する（Ｓ１２）。
【００３１】
要求により、コンピュータ１は、ステップＳ１の時と同様に、ＩＤをコンピュータ３に送信する（Ｓ１３）。
【００３２】
コンピュータ３は、送信されたＩＤでユーザ認証を行い、認証失敗した場合、例えば、警報を発する（Ｓ１４）。よって、異なるＩＤを送信するコンピュータ１とトランシーバ２を所持する者が所持品Ａを所持した場合に警報を発することができる。
【００３３】
また、ステップＳ１２から一定時間が経過しても、ＩＤが送信されない場合、例えば、警報を発する（Ｓ１３）。よって、コンピュータ１とトランシーバ２を所持しない者が所持品Ａを所持した場合に警報を発することができる。
【００３４】
一方、認証成功した場合、つまり、所持者ＵＡが所持品Ａを所持した場合は、警報発信を抑制する。よって、所持者ＵＡが所持品Ａを所持した場合の警報発信を抑制することができる。
【００３５】
その後、コンピュータ３は、所持品Ａが所持されていないことがセンサ５から通知される（Ｓ１５）と、当初の状態、つまりＩＤの要求を行わないようになり、以降、通知と通知内容により、状態が変化する。
【００３６】
なお、図４の要求を行わず、図３の動作だけなら、トランシーバ４の発振器ＴＲ２と、トランシーバ２の電界検出部ＴＲ３は不要になる。
【００３７】
また、実施の形態では、所持品Ａを、例えば、カバンとしたが、図６（ａ）に示す靴（Ａ）や、図６（ｂ）に示す三輪車または二輪車Ａなどのように、他の物としてもよい。
【００３８】
また、情報伝達の媒体として人体を用いる代わりに、他の生物（動物など）や絶縁体を媒体としてもよい。
【００３９】
また、実施の形態では、トランシーバでのＩＤなどの検出に光源、電気光学結晶、偏光板および光検出器という光学部品を用いたが、これらを用いずに、つまり電気的に検出を行ってもよい。
【００４０】
また、実施の形態では、ＩＤ送受を電圧信号で行ったが、電流信号で行ってもよい。
【図面の簡単な説明】
【００４１】
【図１】本実施の形態に係る所持者認証システムの構成図である。
【図２】センサの例を示す図である。
【図３】トランシーバの構成および利用形態を示す図である。
【図４】本システムが行う所持者認証方法の一例を示すシーケンス図である。
【図５】本システムが行う所持者認証方法の他の一例を示すシーケンス図である。
【図６】他の所持品の例を示す図である。
【符号の説明】
【００４２】
１、３…コンピュータ
２、４…トランシーバ
Ａ…所持品
ＵＡ…所持者
ＴＲ１…電極
ＴＲ２…発振器
ＴＲ３…電界検出部
ＴＲ４…送受信回路
ＴＲ３１…光源
ＴＲ３２…電気光学結晶
ＴＲ３３…偏光板
ＴＲ３４…光検出器
【図１】
2008092065.tif 000003
【図２】
2008092065.tif 000004
【図３】
2008092065.tif 000005
【図４】
2008092065.tif 000006
【図５】
2008092065.tif 000007
【図６】
2008092065.tif 000008